(57)【要約】【課題】  動画像を記録する記録装置に比べてコストを低減することが可能であるとともに、音声と静止画像とを記録することによって情報の補完が可能な画像表示装置を提供する。【解決手段】  ステップＳ１０１では、音声処理部は、テレビ音声をスピーカによって再生するとともに、音声信号をデジタルデータに変換して制御部に出力し、制御部は、入力した音声データを主記憶部に順次記憶する。ステップＳ１０２において、制御部が画像キャプチャを指示する操作信号を受信した場合にステップＳ１０３に移行する。ステップＳ１０３では、制御部は、画像処理部に指示をして、その時点で表示メモリに記憶されている１フレーム分の画像データを読み出して、この画像データを主記憶部に一時的に記憶する。なお、１回の音声キャプチャ中に静止画像を何回でもキャプチャすることが可能である。【選択図】  図２
2006191412.tif 000002
【特許請求の範囲】
【請求項１】
画像信号及び前記画像信号に付随した音声信号を順次受信する受信部と、
前記画像信号に基づいた画像データを生成する画像処理部と、
前記音声信号に基づいた音声データを生成する音声処理部と、
入力操作に応じた操作信号を出力する操作部と、
前記操作部からの操作信号に基づいて、前記音声処理部から音声データの取得を開始する音声キャプチャ手段と、
前記音声キャプチャ手段によって前記音声データを取得している途中に、前記操作部からの操作信号に基づいて、前記画像処理部から１フレーム分の画像データを取得する画像キャプチャ手段と、
取得した前記音声データと前記画像データとを記憶可能なデータ記憶部と、
を備えたことを特徴とする画像表示装置。
【請求項２】
テレビ放送電波を受信可能なアンテナから受信信号を順次入力し、前記受信信号から特定のチャンネルの放送信号を選局して出力するチューナ部と、
前記放送信号から画像信号を復調する画像復調部と、
前記放送信号から音声信号を復調する音声復調部と、
前記画像信号に基づいた画像データを生成する画像処理部と、
前記音声信号に基づいた音声データを生成する音声処理部と、
入力操作に応じた操作信号を出力する操作部と、
前記操作部からの操作信号に基づいて、前記音声処理部から音声データの取得を開始する音声キャプチャ手段と、
前記音声キャプチャ手段によって前記音声データを取得している途中に、前記操作部からの操作信号に基づいて、前記画像処理部から１フレーム分の画像データを取得する画像キャプチャ手段と、
取得した前記音声データと前記画像データとを記憶可能なデータ記憶部と、
を備えたことを特徴とする画像表示装置。
【請求項３】
請求項１又は２に記載の画像表示装置であって、前記音声データ及び前記画像データを前記データ記憶部に記憶する際に、前記音声データと前記画像データとを対応付けて記憶することを特徴とする画像表示装置。
【発明の詳細な説明】
【技術分野】
【０００１】
本発明は、テレビ放送等に含まれる画像や音声をキャプチャ可能な画像表示装置に関する。
【背景技術】
【０００２】
近年、テレビ放送を記録するための装置として、大容量のＨＤＤ（Hard Disk Drive）を搭載した記録装置の普及が進んでいる。搭載するＨＤＤの容量に応じて数十時間以上の長時間録画が可能であるうえ、録画時や再生時にメディアの交換が不要であるため利便性が高い。
【０００３】
一方、特許文献１に示すように、放送中のテレビ映像から、任意の時点の画面を静止画像として取得（キャプチャ）して保存可能なシステムが提案されている。このシステムによれば、必要な情報が画面に表示された瞬間にキャプチャを実行しておくことにより、後でキャプチャした画像を表示させるだけで当該情報を瞬時に取得することが可能となる。
【０００４】
【特許文献１】特開２０００−３４１６３０号公報
【発明の開示】
【発明が解決しようとする課題】
【０００５】
しかしながら、ＨＤＤに映像を記録する記録装置において、長時間の録画を行うためには、大容量のＨＤＤが必要になることに加え、各種画像処理や画像圧縮を行うために大容量のメモリや高性能なプロセッサ等が必要となり、装置のコストが上昇してしまうという問題を有していた。
【０００６】
また、特許文献１に示したシステムは、映像（動画像）に比べてデータ量の小さな静止画像を記憶するため、必ずしも大容量の記憶装置を必要としないものの、保存される情報が断片的であり、再生時に情報を補完することができなかった。
【０００７】
本発明は上記問題を鑑みてなされたものであり、その目的は、動画像を記録する記録装置に比べてコストを低減することが可能であるとともに、音声と静止画像とを記録することによって情報の補完が可能な画像表示装置を提供することにある。
【課題を解決するための手段】
【０００８】
本発明の画像表示装置は、画像信号及び前記画像信号に付随した音声信号を順次受信する受信部と、前記画像信号に基づいた画像データを生成する画像処理部と、前記音声信号に基づいた音声データを生成する音声処理部と、入力操作に応じた操作信号を出力する操作部と、前記操作部からの操作信号に基づいて、前記音声処理部から音声データの取得を開始する音声キャプチャ手段と、前記音声キャプチャ手段によって前記音声データを取得している途中に、前記操作部からの操作信号に基づいて、前記画像処理部から１フレーム分の画像データを取得する画像キャプチャ手段と、取得した前記音声データと前記画像データとを記憶可能なデータ記憶部とを備えたことを特徴とする。
【０００９】
この画像表示装置によれば、映像の記録（録画）をする際に、音声と一部の画像（静止画像）のみを記憶するため、映像（動画像）と音声とを記憶する記録装置に比べて、記憶する情報量が少なくて済む。この結果、大容量のＨＤＤやメモリ、高性能なプロセッサ等が不要となり、装置のコストを低減することが可能となる。
【００１０】
また、音声と画像の両方を記憶するため、いずれか一方のみを記憶する場合と異なり、互いの情報を補完することが可能となる。
【００１１】
本発明の画像表示装置は、テレビ放送電波を受信可能なアンテナから受信信号を順次入力し、前記受信信号から特定のチャンネルの放送信号を選局して出力するチューナ部と、前記放送信号から画像信号を復調する画像復調部と、前記放送信号から音声信号を復調する音声復調部と、前記画像信号に基づいた画像データを生成する画像処理部と、前記音声信号に基づいた音声データを生成する音声処理部と、入力操作に応じた操作信号を出力する操作部と、前記操作部からの操作信号に基づいて、前記音声処理部から音声データの取得を開始する音声キャプチャ手段と、前記音声キャプチャ手段によって前記音声データを取得している途中に、前記操作部からの操作信号に基づいて、前記画像処理部から１フレーム分の画像データを取得する画像キャプチャ手段と、取得した前記音声データと前記画像データとを記憶可能なデータ記憶部とを備えたことを特徴とする。
【００１２】
この画像表示装置によれば、テレビ放送の記録（録画）をする際に、音声と一部の画像（静止画像）のみを記憶するため、映像（動画像）と音声とを記憶する記録装置に比べて、記憶する情報量が少なくて済む。この結果、大容量のＨＤＤやメモリ、高性能なプロセッサ等が不要となり、装置のコストを低減することが可能となる。
【００１３】
また、音声と画像の両方を記憶するため、いずれか一方のみを記憶する場合と異なり、互いの情報を補完することが可能となる。
【００１４】
この画像表示装置において、前記音声データ及び前記画像データを前記データ記憶部に記憶する際に、前記音声データと前記画像データとを対応付けて記憶するようにしてもよい。
【００１５】
この画像表示装置によれば、音声データと、当該音声データの記憶中に取得された画像データとを対応付けて記憶するため、後でこれらのデータを参照する際に、両者を同時に参照して情報を補完することが容易になる。
【発明を実施するための最良の形態】
【００１６】
（第１実施形態）
以下、本発明の第１実施形態に係る画像表示装置について、図面を参照して説明する。図１は、本実施形態の画像表示装置の概略構成を示すブロック図である。
【００１７】
図１に示すように、本実施形態の画像表示装置１は、テレビ放送電波を受信して、テレビ放送に含まれる画像（以下、「テレビ画像」という。）及び音声（以下、「テレビ音声」という。）の表示・再生を行うテレビジョン装置に、静止画像及び音声の取得を行うキャプチャ機能を備えたものであり、キャプチャ機能によって取得した静止画像及び音声の表示・再生も可能になっている。
【００１８】
画像表示装置１は、制御部１０と、主記憶部１１と、入力操作部１２と、リモコンＲＣと、リモコン信号受信部１３と、チューナ部２０と、画像復調部２１と、画像処理部２２と、表示メモリ２３と、表示部２４と、音声復調部２５と、音声処理部２６と、増幅回路２７と、スピーカ２８と、データ記憶部３０とを備えている。
【００１９】
制御部１０は、前記各部１１〜１３，２０〜２２，２５，２６，３０に接続されており、主記憶部１１に記憶されている制御プログラムに従って、画像表示装置１の動作を統括制御する。主記憶部１１は、ＲＡＭ（Random Access Memory）等のメモリによって構成され、前記制御プログラムが記憶されるとともに、キャプチャした画像データや音声データの一時記憶等に用いられる。
【００２０】
入力操作部１２及びリモコンＲＣは、本発明における操作部に相当するものであり、電源のオン・オフや、チャンネルの選定、音量の調整、キャプチャの開始及び終了の指示、メニュー画面での選択動作等を行うためのスイッチ等を備えている。ユーザが入力操作部１２を操作すると、入力操作部１２は、ユーザの操作内容に応じた操作信号を制御部１０に出力する。また、ユーザがリモコンＲＣを操作すると、リモコンＲＣは、ユーザの操作内容に応じた赤外線の操作信号を発し、リモコン信号受信部１３がこれを受信して制御部１０に伝達する。
【００２１】
画像表示装置１には、外部にアンテナＡＮが接続されており、テレビ放送電波を受信可能になっている。受信したテレビ放送電波は、受信信号としてチューナ部２０に入力する。チューナ部２０は、受信信号から、入力操作部１２やリモコンＲＣによって選局された放送チャンネルの放送信号を取り出して、画像復調部２１及び音声復調部２５に分配する。
【００２２】
画像復調部２１は、入力した放送信号から画像信号を復調し、これを画像処理部２２に出力する。音声復調部２５は、入力した放送信号から音声信号を復調し、これを音声処理部２６に出力する。
【００２３】
画像処理部２２は、画像復調部２１から入力したアナログの画像信号をデジタルの画像データに変換し、少なくとも１フレーム（１画面）分の画像データを記憶可能な表示メモリ２３に記憶する。表示メモリ２３に記憶された画像データは、プロジェクタや液晶表示装置等からなる表示部２４に出力されて、表示部２４にテレビ画像が表示される。さらに、画像処理部２２は、制御部１０からの指示に基づいて、表示メモリ２３に記憶されている１フレーム分の画像データをキャプチャ画像データとして制御部１０に出力可能であるとともに、主記憶部１１やデータ記憶部３０に記憶されているキャプチャ画像やメニュー画像等を制御部１０から入力して表示部２４に表示させることが可能になっている。
【００２４】
音声処理部２６は、音声復調部２５から入力した音声信号を増幅回路２７を介してスピーカ２８に出力することによりテレビ音声を再生する。さらに、音声処理部２６は、制御部１０からの指示に基づいて、音声復調部２５から入力したアナログの音声信号をデジタルデータに変換し、キャプチャ音声データとして制御部１０に出力可能になっている。また、主記憶部１１やデータ記憶部３０に記憶されているキャプチャ音声データを制御部１０から入力し、これをアナログ信号に変換した後、増幅回路２７を介してスピーカ２８に出力することにより、キャプチャ音声を再生することも可能である。
【００２５】
データ記憶部３０は、例えば、ＨＤＤ等の記憶装置によって構成されており、制御部１０から入力するキャプチャ画像データ及びキャプチャ音声データを記憶する。データ記憶部３０には、複数のキャプチャ画像データ及びキャプチャ音声データを統合したデータベースが形成されており、ユーザは、所望のデータを容易に検索し再生することができるようになっている。
【００２６】
また、画像表示装置１には、外部記憶装置２やプリンタ３を接続するためのインタフェイス（図示せず）が備えられている。外部記憶装置２としては、例えば、ＨＤＤ等の記憶装置やカード型の記憶メディアが接続可能であり、キャプチャした画像データや音声データ、或いは、データベース全体を記憶させることができる。プリンタ３を接続した場合には、キャプチャした画像等の印刷を行うことができる。
【００２７】
本実施形態の画像表示装置１は、以上のような構成を有しており、ユーザは、テレビ放送を視聴中に、入力操作部１２又はリモコンＲＣを操作することによってテレビ音声のキャプチャを行うことが可能であり、さらに、音声をキャプチャしている間、入力操作部１２又はリモコンＲＣを操作することによって、任意の時点の静止画像をキャプチャすることができるようになっている。
【００２８】
ここで、画像表示装置１のキャプチャ動作について、図面を参照して説明する。図２は、本実施形態の画像表示装置１におけるキャプチャ時の動作を説明するフローチャートである。ユーザがテレビ放送を視聴中に、入力操作部１２又はリモコンＲＣによって音声のキャプチャを開始するための操作を行うと、制御部１０は、入力操作部１２又はリモコン信号受信部１３からの操作信号によって当該操作内容を認識し、図２に示すフローに従ったキャプチャ動作を開始する。
【００２９】
図２に示すように、ステップＳ１０１では、制御部１０が音声処理部２６に指示をして、再生中のテレビ音声のキャプチャを開始する。具体的には、音声処理部２６は、テレビ音声をスピーカ２８から再生し続けるとともに、音声信号をデジタルデータ（キャプチャ音声データ）に変換して制御部１０に出力する。制御部１０は、入力したキャプチャ音声データを主記憶部１１に順次記憶する。
【００３０】
ステップＳ１０２では、制御部１０は、ユーザが入力操作部１２又はリモコンＲＣで静止画像のキャプチャを指示するための操作を行ったか否かを操作信号により判断する。キャプチャを指示する操作信号を受信した場合にはステップＳ１０３に移行し、指示がなければステップＳ１０４に移行する。
【００３１】
ステップＳ１０３に移行した場合には、制御部１０は、静止画像のキャプチャを行い、ステップＳ１０２に戻る。具体的には、制御部１０は、画像処理部２２に指示をして、その時点で表示メモリ２３に記憶されている１フレーム分の画像データを読み出して、この画像データを主記憶部１１に一時的に記憶する。なお、１回の音声キャプチャ中に静止画像を何回でもキャプチャすることが可能であるとともに、静止画像のキャプチャを行わず、音声のみのキャプチャを行うことも可能である。
【００３２】
ステップＳ１０４では、制御部１０は、ユーザが入力操作部１２又はリモコンＲＣで音声のキャプチャの終了を指示するための操作を行ったか否かを操作信号により判断する。音声キャプチャ終了の指示がなければステップＳ１０２に戻り、指示があればステップＳ１０５に移行する。
【００３３】
音声キャプチャ終了の指示を受けてステップＳ１０５に移行した場合には、制御部１０は、音声処理部２６に指示をして音声のキャプチャを終了する。この時点で１つのキャプチャ音声データが完結し、主記憶部１１には、１つのキャプチャ音声データと、当該キャプチャ音声データのキャプチャ中に取得されたキャプチャ画像データとからなる１組のキャプチャデータが記憶されている。
【００３４】
ステップＳ１０６以降において、このキャプチャデータをデータ記憶部３０のデータベースに登録する。図３（ａ）、（ｂ）は、データベース登録時における表示部２４の画面表示を説明する説明図である。
【００３５】
ステップＳ１０６では、図３（ａ）に示すように、制御部１０が画像処理部２２に指示をして、キャプチャデータに含まれる静止画像の縮小画像（サムネイル）の一覧を表示部２４の画面２４ａ上に表示し、ユーザに代表画像の選択を促す。ユーザが入力操作部１２又はリモコンＲＣによっていずれか１つの画像を選択するとステップＳ１０７に移行する。
【００３６】
ステップＳ１０７では、制御部１０が画像処理部２２に指示をして、図３（ｂ）に示すように、表示部２４の画面２４ａ上にキャプチャデータを分類するためのカテゴリの一覧を表示し、キャプチャデータを登録すべきカテゴリの選択をユーザに促す。カテゴリは、必要に応じて階層構造を備えており、ユーザが入力操作部１２又はリモコンＲＣによっていずれか１つのカテゴリを選択するとステップＳ１０８に移行する。
【００３７】
ステップＳ１０８では、制御部１０は、主記憶部１１に一時的に記憶されているキャプチャデータ（キャプチャ音声データ及びキャプチャ画像データ）をデータ記憶部３０に記憶する。このとき、キャプチャ音声データとキャプチャ画像データとを対応付けるとともに、キャプチャした日時、放送チャンネル、カテゴリ情報等をデータベースに登録する。
【００３８】
以上の動作により、テレビ放送の任意の時点間の音声、及び音声キャプチャ中の任意の時点の静止画像がデータベースに登録される。これ以降、ユーザは、入力操作部１２又はリモコンＲＣを操作することによって、登録されたキャプチャデータの再生を行うことができる。
【００３９】
ここで、キャプチャデータを再生する際の動作について、図面を参照して説明する。図４（ａ）〜（ｃ）は、キャプチャデータの再生時における表示部２４の画面表示を説明する説明図である。ユーザが入力操作部１２又はリモコンＲＣによってキャプチャデータの再生の指示を行うと、画像表示装置１は、以下の動作を行う。
【００４０】
図４（ａ）に示すように、まず制御部１０は、表示部２４の画面２４ａ上にカテゴリの一覧を表示して、ユーザに再生したいデータが含まれるカテゴリを選択するように促す。ユーザが所望のカテゴリを選択すると、図４（ｂ）に示すように、制御部１０は、当該カテゴリに含まれるキャプチャデータの一覧を表示する。各キャプチャデータには、登録時（ステップＳ１０６）に選択した代表画像のサムネイルが付加されており、キャプチャデータの概略内容を知ることができるようになっている。ユーザがいずれか１つのキャプチャデータを選択すると、制御部１０は、図４（ｃ）に示すように、当該キャプチャデータに含まれる静止画像（サムネイル）の一覧を表示するとともに、当該キャプチャデータに含まれる音声データの再生を開始する。音声の再生中、ユーザは、入力操作部１２又はリモコンＲＣを操作して、いずれか１つの静止画像を選択することにより、当該静止画像を拡大して表示させることができる。
【００４１】
なお、本実施形態では、音声処理部２６と、制御プログラムを実行して音声キャプチャを行う制御部１０と、キャプチャ音声を一時記憶する主記憶部１１とが音声キャプチャ手段を構成し、画像処理部２２と、制御プログラムを実行して画像キャプチャを行う制御部１０と、キャプチャ画像を一時記憶する主記憶部１１とが画像キャプチャ手段を構成する。
【００４２】
以上説明したように、本実施形態の画像表示装置１によれば、以下の効果を得ることができる。
【００４３】
（１）本実施形態の画像表示装置１によれば、テレビ放送の記録をする際に、音声と一部の静止画像のみをデータ記憶部３０に記憶するため、映像（動画像）と音声とを記録する記録装置に比べて、記憶する情報量が少なくて済む。この結果、大容量のＨＤＤやメモリ、高性能なプロセッサ等が不要となり、装置のコストを低減することが可能となる。また、音声と画像の両方を記憶するため、いずれか一方のみを記憶する場合と異なり、互いの情報を補完することが可能となる。
【００４４】
（２）本実施形態の画像表示装置１によれば、音声データと、当該音声データの記憶中に取得された画像データとを対応付けて記憶するため、後でこれらのデータを参照する際に、両者を同時に参照して情報を補完することが容易になる。
【００４５】
（第２実施形態）
以下、本発明の第２実施形態に係る画像表示装置について、図面を参照して説明する。図５は、本実施形態の画像表示装置の概略構成を示すブロック図である。
【００４６】
図５に示すように、画像表示装置１は、テレビジョン装置５とキャプチャ装置６とを備えている。キャプチャ装置６は、制御部１０と、主記憶部１１と、リモコンＲＣと、リモコン信号受信部１３と、データ記憶部３０と、画像処理部２２ａと、音声処理部２６ａと、インタフェイス部（Ｉ／Ｆ部）４０とを備えており、テレビジョン装置５から画像信号及びこれに付随する音声信号を入力して、静止画像と音声とをキャプチャすることが可能になっている。
【００４７】
インタフェイス部４０には、ビデオケーブルやオーディオケーブルを介してテレビジョン装置５との間で画像信号や音声信号の入出力を行うための端子群が備えられている。
【００４８】
画像処理部２２ａは、インタフェイス部４０を介してテレビジョン装置５から入力したアナログの画像信号をデジタルの画像データに変換して制御部１０に出力するとともに、制御部１０から入力した画像データをアナログの画像信号に変換し、インタフェイス部４０を介してテレビジョン装置５に出力することが可能になっている。
【００４９】
音声処理部２６ａは、インタフェイス部４０を介してテレビジョン装置５から入力したアナログの音声信号をデジタルの音声データに変換して制御部１０に出力するとともに、制御部１０から入力した音声データをアナログの音声信号に変換し、インタフェイス部４０を介してテレビジョン装置５に出力することが可能になっている。
【００５０】
本実施形態の画像表示装置１は、以上のような構成を有しており、第１実施形態と同様のフロー（図２参照）に従ってキャプチャ動作を行うことができる。
【００５１】
ユーザがテレビ放送を視聴中に、リモコンＲＣによって音声のキャプチャを開始するための操作を行うと、制御部１０は、リモコン信号受信部１３からの制御信号によって当該操作内容を認識する。その後、音声処理部２６ａに指示をして、インタフェイス部４０から入力する音声信号をデジタルデータ（キャプチャ音声データ）に変換して制御部１０に出力する。制御部１０は、入力したキャプチャ音声データを主記憶部１１に順次記憶する。
【００５２】
また、音声をキャプチャ中に、ユーザがリモコンＲＣを操作して静止画像のキャプチャを指示すると、制御部１０は、画像処理部２２ａに指示をして、１フレーム分の画像信号をデジタルの画像データに変換し、主記憶部１１に一時的に記憶する。
【００５３】
ユーザが入力操作部１２又はリモコンＲＣで音声のキャプチャの終了を指示するための操作を行った場合には、制御部１０は、音声処理部２６ａに指示をして音声のキャプチャを終了するとともに、キャプチャデータをデータ記憶部３０に記憶してデータベースに登録する。
【００５４】
データベースに登録されたキャプチャデータを再生する際には、制御部１０が、ユーザによって指定されたキャプチャデータをデータ記憶部３０から読み出して、画像処理部２２ａ及び音声処理部２６ａによってアナログ信号に変換し、テレビジョン装置５に出力する。
【００５５】
以上説明したように、本実施形態の画像表示装置１によれば、前記第１実施形態の効果と同様の効果を得ることができる。さらに、従来のテレビジョン装置５を活用することが可能であるため、音声キャプチャ及び静止画像のキャプチャを安価に実現することが可能となる。なお、本実施形態の画像表示装置１は、テレビジョン装置５に接続されたキャプチャ装置６によって、テレビ画像及びテレビ音声のキャプチャが可能になっているが、ＤＶＤ（Digital Versatile Disc）レコーダ等の画像・音声再生装置により再生された画像や音声を入力し、キャプチャ可能な構成としてもよい。
【００５６】
（変形例）
本発明の実施形態は、以下のように変更してもよい。
・前記第１及び第２実施形態では、入力操作部１２又はリモコンＲＣから静止画像のキャプチャを指示する操作信号を受信した場合にのみ、画像キャプチャを行うようにしているが、これに限られず、例えば、音声キャプチャを開始した時点の静止画像を取得するようにしてもよい。さらに、当該静止画像を自動的に代表画像とするようにしてもよい。
【００５７】
・前記第１及び第２実施形態では、キャプチャデータに含まれる音声データを再生する際に、キャプチャデータに含まれる静止画像の一覧を表示するようにしているが、音声再生時の画面表示は前記に限られない。例えば、データベースにキャプチャデータを登録する際に、音声キャプチャの開始時点から各画像データがキャプチャされた時点までの時間を記録し、音声を再生する際には、静止画像を全画面に表示するとともに、表示する静止画像を音声と同期させて切り替えるようにしてもよい。
【００５８】
・前記第１及び第２実施形態では、再生するキャプチャデータを選択する際にはカテゴリを特定してから所望のキャプチャデータを選択するようにしているが、分類されたカテゴリに拘わらず、すべてのキャプチャデータを一覧で表示するようにしてもよい。さらに、キャプチャデータを保存する際には、必ずしもカテゴリ毎に分類する必要はない。
【図面の簡単な説明】
【００５９】
【図１】第１実施形態の画像表示装置の概略構成を示すブロック図。
【図２】キャプチャ時の動作を説明するフローチャート。
【図３】（ａ）、（ｂ）は、データベース登録時における表示部の画面表示を説明する説明図。
【図４】（ａ）〜（ｃ）は、キャプチャデータ再生時における表示部の画面表示を説明する説明図。
【図５】第２実施形態の画像表示装置の概略構成を示すブロック図。
【符号の説明】
【００６０】
１…画像表示装置、２…外部記憶装置、３…プリンタ、５…テレビジョン装置、６…キャプチャ装置、１０…制御部、１１…主記憶部、１２…入力操作部、１３…リモコン信号受信部、２０…チューナ部、２１…画像復調部、２２…画像処理部、２２，２２ａ…画像処理部、２３…表示メモリ、２４…表示部、２５…音声復調部、２６，２６ａ…音声処理部、２７…増幅回路、２８…スピーカ、３０…データ記憶部、４０…インタフェイス部、ＡＮ…アンテナ、ＲＣ…リモコン。
【図１】
2006191412.tif 000003
【図２】
2006191412.tif 000004
【図３】
2006191412.tif 000005
【図４】
2006191412.tif 000006
【図５】
2006191412.tif 000007